(57)【特許請求の範囲】
【請求項１】
使用者を含む被写体の撮影を行う撮影ブースと、上記撮影ブース内において複数の撮影光軸で撮影しうるように構成された撮影手段とを備え、
上記撮影ブース内における複数箇所の壁面に異なる撮影用背景となるスクリーンを存在させ、撮影ブース内における複数箇所のスクリーンを背景とした撮影を行いうるようになっていることを特徴とする自動写真撮影装置。
【請求項２】
上記撮影手段が、撮影光軸の角度を変更することにより複数の撮影光軸で撮影しうるように構成されている請求項１記載の自動写真撮影装置。
【請求項３】
撮影ブースの出入り口が撮影用背景となりうるカーテンにより外部と仕切られている請求項１または２記載の自動写真撮影装置。
【請求項４】
上記撮影用背景となるスクリーンが背景合成用のスクリーンを含む請求項１〜３のいずれか一項に記載の自動写真撮影装置。
【請求項５】
上記撮影ブースを形成する内面に向かって閃光を照射する閃光照明装置を備え、上記閃光照明装置の壁面での反射光により被写体を撮影するように構成されている請求項１〜４のいずれか一項に記載の自動写真撮影装置。
【請求項６】
使用者を含む被写体の撮影を行う撮影ブースと、上記撮影ブース内において複数の撮影光軸で撮影しうるように構成された撮影手段とを準備し、
上記撮影ブース内における複数箇所の壁面に異なる撮影用背景となるスクリーンを存在させ、撮影ブース内における複数箇所のスクリーンを背景とした撮影を行うようにしたことを特徴とする自動写真撮影方法。
【発明の詳細な説明】
【０００１】
【発明の属する技術分野】
本発明は、ゲームセンター等に設置され、硬貨等の投入により使用者を含む被写体を撮影し、撮影画像を写真プリント等として販売する写真自販機の自動写真撮影装置およびその方法に関するものである。
【０００２】
【従来の技術】
近年、ゲームセンター等において、写真を撮影してシールプリント等にする写真自販機が数多く設置されている。このような写真自販機に採用されているシステム構成としては、一般に、図１１に示すようなものが用いられている。このものは、本体５２の内部に、略４５°の角度をもってハーフミラー５３が設けられている。このハーフミラー５３の奥に、使用者５４を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
【０００３】
上記写真自販機では、ハーフミラー５３を透してカメラ５５で撮影された画像がモニタ５６に表示され、このモニタ５６に表示された画像がハーフミラー５３に反射して使用者５４によって確認できるようになっている。そして、使用者５４は、モニタ５６に映った自分の姿を確認しながら所望のポーズをとり、好みのところでコントローラ５１を操作して静止画を撮影することが行われる。そして、この静止画は、適当な背景色等と合成されて写真プリント５８として印刷される。
【０００４】
【発明が解決しようとする課題】
しかしながら、上述のような方式であると、カメラ５５が固定的に取付けられているので、使用者５４を正面から撮影する単一機能となり、プリントされた写真のバリエーションが単調なものとなる。同時に、背景として配置された絵柄や色彩等からなる背景色等と使用者との相対位置関係も一種類に限られるので、やはり単調な写真になる傾向が強くなる。
【０００５】
本発明は、このような事情に鑑みなされたもので、被撮影者である被写体と背景色等との組合せ関係を、より豊富なものにする自動写真撮影装置とその方法の提供を目的とする。
【０００６】
【課題を解決するための手段】
上記目的を達成するため、本発明は、使用者を含む被写体の撮影を行う撮影ブースと、上記撮影ブース内において複数の撮影光軸で撮影しうるように構成された撮影手段とを備え、
上記撮影ブース内における複数箇所の壁面に異なる撮影用背景となるスクリーンを存在させ、撮影ブース内における複数箇所のスクリーンを背景とした撮影を行いうるようになっている自動写真撮影装置を第１の要旨とする。
【０００７】
一方、上記目的を達成するために、本発明は、使用者を含む被写体の撮影を行う撮影ブースと、上記撮影ブース内において複数の撮影光軸で撮影しうるように構成された撮影手段とを準備し、
上記撮影ブース内における複数箇所の壁面に異なる撮影用背景となるスクリーンを存在させ、撮影ブース内における複数箇所のスクリーンを背景とした撮影を行うようにした自動写真撮影方法を第２の要旨とする。
【０００８】
すなわち、本発明の第１の要旨である自動写真撮影装置は、上記撮影ブース内において複数の撮影光軸で撮影しうるように構成された撮影手段を備え、合わせて、被写体の撮影位置を撮影ブース内における複数箇所において撮影を行いうるように構成されている。このように複数の撮影光軸を採用することにより、いわゆるカメラアングルが多様化され、被写体を種々な方向から撮影できて、被写体と背景色等との相対位置関係が豊富なものとなる。よって、プリントされた写真は、被写体と背景色等との調和が最適な状態になり、しかも、被写体と撮影光軸（カメラアングル）がその人の好みに合った態様になり、使用者の満足度をより高めた写真が提供できる。
【０００９】
さらに、被写体が撮影ブース内を適当に移動できるように、撮影ブース内の床の広さや床面形状を設定しておくことにより、被写体は自己の撮影位置を複数箇所にわたって適宜選び、背景色等やスクリーン等との関係を好みに合わせてより一層豊富にすることができ、上記のような満足度を著しく高めることができる。このように、撮影位置が複数箇所になし得ることは、背景色等やスクリーンとの組合せ関係を多様化させるのに、非常に有効である。しかも、撮影ブース内の複数箇所の壁面をバックとして撮影を行いうるようになっているため、壁面を形成するブース素材の質感やその素材が有している色柄等を、上記の複数の撮影光軸や撮影位置によって最適な状態で活用できる。また、複数のスクリーンを上記の複数の撮影光軸や撮影位置によって最適な状態で活用できる。このようにして、できあがった写真は被写体と背景色等が最適の調和となる。
【００１０】
上述のような作用効果は、カメラと被写体との間における複数化された撮影光軸と、被写体の複数箇所とされた撮影位置と、背景色等との３者を合理的に複合させたことが基本的な発想となって、得られている。
【００１１】
一方、本発明の第２の要旨である自動写真撮影方法は、上記撮影ブース内において複数の撮影光軸で撮影しうるように構成された撮影手段を備え、合わせて、被写体の撮影位置を撮影ブース内における複数箇所において撮影を行いうるように構成されている。しかも、撮影ブース内の複数箇所の壁面をバックとして撮影を行いうるようになっている。
【００１２】
したがって、第１の要旨と同様な複数の撮影光軸や撮影個所が、撮影方法に反映されて、上記第１の要旨と同様な作用効果が得られる。
【００１３】
本発明において、上記撮影手段が、撮影光軸の角度を変更することにより複数の撮影光軸で撮影しうるように構成されている場合には、被写体を種々な角度から撮影できるので、被写体と背景色等との相対位置をより豊かに選ぶことができて、満足度の高い写真が提供できる。また、被写体を種々な角度から撮影できることは、被写体の得意とするポーズアングルをカメラに対して取るのと同時に、背景色等に対しても得意なポーズを取ることが可能となる。
【００１５】
本発明において、撮影ブースの出入り口がバックスクリーンとなりうるカーテンにより外部と仕切られている場合には、カーテンにバックスクリーンとしての機能と外部との遮断機能とを果たさせることとなり、ブースの構成部材を多機能化するのに有効である。すなわち、本来バックスクリーンとしての機能が期待されていなかったブースの構成部材が、バックスクリーンの役割を果たしているのである。合わせて、カーテン内面の色合いと壁面を構成する素材の色合いを、同じまたは近似したものにしておくことにより、実質的にカーテンが存在しないような形態でバックスクリーンを形成することができる。
【００１６】
本発明において、上記バックスクリーンが背景合成用のスクリーンである場合には、被写体画像とバックスクリーンの表面状態とを明確に識別した上で、例えば、背景色等記憶手段から読み出された背景色等と合成するのに好適である。特に、上記のカーテンがバックスクリーンの１部を形成しているという構成のもとでは、カーテンの存在に影響されることなく、本来のバックスクリーンの機能を十分に発揮させることができる。
【００１７】
本発明において、上記撮影ブースを形成する内面に向かって閃光を照射する閃光照明装置を備え、上記閃光照明装置の壁面での反射光により被写体を撮影するように構成されている場合には、上記反射光が撮影ブース内に無数の方向性をもって被写体に照射されるので、被写体には影にともなう陰影がほとんどなくなり、はつらつとした明るさに満ちた写真が得られる。そして、このような写真が、上述のように複数の撮影光軸や複数の撮影箇所の利点と複合することにより、より新鮮味の高い写真が完成する。
【００１８】
本発明において、上記撮影手段が、撮影ブース内に突出するよう設けられている場合には、撮影手段が突出していることにより撮影光軸の向きを潤沢に確保できる。もし、透明ガラスの背後に撮影手段が配置されているような場合であれば、透明ガラスの周縁部材が撮影光軸を妨げることになり、上記のような利点が得られなくなる。また、上記の突出により撮影光軸の変化を確保するための機構的なスペースが十分に求められる。
【００１９】
本発明において、撮影ブースの天井面近傍にミラーが設けられ、上記ミラーに反射する被写体を撮影しうるように構成されている場合には、被写体の反射像をミラーを介して撮影手段に収録するので、撮影手段を撮影ブースの上方に配置する必要がなく、構造簡素化と原価低減にとって有効である。また、被写体は空を見上げたようなポーズを取ることができるので、写真のバリエーションが幅広くなる。
【００２０】
本発明において、上記ミラーがハーフミラーである場合には、被写体の反射光の強度が低減された状態で撮影されるので、できあがった被写体画像は、明るさが押えられたトーンのものとなり、独特な味合いがかもし出せる。
【００２１】
本発明において、上記ミラーが湾曲ミラーである場合には、被写体が湾曲ミラーの湾曲形状や湾曲度合いに応じて変形した被写体画像となるので、コミカルな写真が湾曲ミラーの特質を生かして入手することができる。
【００２２】
本発明において、上記ミラーが凸面鏡である場合には、凸面鏡独特の特定箇所を拡大した被写体画像となるので、被写体自体の個性を強調した写真が得られる。
【００２３】
本発明において、撮影ブース内の撮影領域における光量が実質的に均一になるよう設定されている場合には、撮影ブース内で撮影する箇所のどこであっても閃光照明の光量が実質的に均一化されるので、バックスクリーンに影ができたりせず、他の背景画像との合成が首尾よく行えて、上述のような良好な写真が入手できる。特に、撮影ブース内の撮影領域における光量の適正化であるから、いわゆる必要な箇所の光量制御を行えばよく、したがって、閃光照明装置の配置個数や照明光度を合理的に選定し、照明手段の簡素化や原価低減にとって有効である。
【００２５】
【発明の実施の形態】
つぎに、本発明の実施の形態を詳しく説明する。
【００２６】
図は、本発明の写真撮影装置および方法の一実施の形態を示す図であり、図１および図２は、写真自販機に本発明の写真撮影装置が組込まれている態様を図示している。
【００２７】
さらに、以下に説明する実施の形態は、写真撮影装置および方法と、それを実施する際に必要な閃光照明装置との組合わせとされている。
【００２８】
図１，図２に示されているように、ここでは、撮影専用として設置された撮影ブースと、その撮影画像情報を被写体自身の好みに合わせ編集する編集ブースとに分割された形式を例示している。
【００２９】
この写真自販機は、内部および前面に各種の装置が設けられた筐体１と、上記筐体１の上から被写体２の背後まで達するように突き出された天井部３Ａとを備えている。
【００３０】
そして、上記天井部３Ａの両側には図１の奥側の側壁５Ａと手前側に配置されている側壁５Ｂ（図１には表れていない）が形成されている。これらの側壁５Ａ，５Ｂは、例えば、合成樹脂製のパネルや皺のない状態で張られたシート材で形成されている。側壁５Ａ，５Ｂには、出入口４Ａが設けられ、そこにカーテン４が吊り下げられている。被写体２の背後にはバックスクリーン２８が配置されている。このバックスクリーン２８は、動作ローラ２８Ｅに巻き取られる構造とされ、複数の色彩のバックスクリーンが選べるようになっている。ここでは、例えば黄色のバックスクリーン２８Ｃとピンクのバックスクリーン２８Ｄの２色式である。
【００３１】
上記筐体１の前面部，天井部３Ａ，カーテン４，図１の奥側の側壁５Ａと手前側に配置されている側壁５Ｂ，床面３Ｂ，バックスクリーン２８等で囲まれた空間により被写体２の撮影用ブースが形成され、上記筐体１が撮影用ブースの一部を構成するようになっている。なお、撮影ブースは上記のように空間部として形成され、それは、符号９で示されている。なお、通常は、手前側の側壁５Ｂの側にも出入口やカーテンが配置されている。
【００３２】
上記筐体１の内部には、被写体２を撮影するカメラ６Ａが設けられ、上記筐体１のカメラ６Ａの被写体２側に位置する面には、ガラス等の透明板７が嵌め込まれている。また、上記筐体１の前面には、その上部と下部に、被写体２に対して正面から閃光を照射して照明するストロボ８が設けられている。また、別のカメラ６Ｂが、撮影ブース９内に突出した状態で枠材１０に取付けられている。
【００３３】
図３は、上記カメラ６Ｂが枠材１０に取付けられている状態を、拡大した正面図として示している。
【００３４】
上記筐体１の内部には、上記カメラ６Ａ，６Ｂから画像データを受信して画像記憶等を行うコンピュータ装置１１が設けられている。また、上記筐体１の被写体２側には、被写体２の好みのポーズ等が画像表示されるディスプレイ１２が配置されている。このディスプレイ１２には、カメラ６Ａ，６Ｂからの画像信号がコンピュータ装置１１に入力され、これを被写体２が操作して読み出すようになっている。なお、符号１３は、ディスプレイ１２に備付けられて操作信号を入力するタッチペンである。このような操作信号の入力は、タッチペン１３に限らずボタン式や操作レバー式に代えて行ってもよい。また、符号１６は、筐体１に取付けられたスピーカであり、コンピュータ装置１１からの信号で動作し、被写体２に対して指示事項を音声で案内する。
【００３５】
さらに、上記筐体１には、コイン検出を行うコインセレクタ１４、すなわち対価を受領する手段が設けられている。また、種々なポーズや背景色等との組合わせで多数の写真が撮影されるのであるが、それを編集するためには多数の写真を後述するサーバ１８から別の編集用のコンピュータ装置１９で呼び出せるようにしておく必要がある。そのために、記録カードが取出せるカードプリンタ１５が設けられている。このカードプリンタ１５からは画像番号等が印字されたメモリー用紙を出力してもよく、あるいは、磁気カードの形で出力してもよい。
【００３６】
上記のメモリー用紙や磁気カードに代えて、上記コンピュータ装置１１に記憶させた暗証番号で編集用のコンピュータ装置１９を使用できるようにしてもよい。
【００３７】
撮影ブースでの撮影メモリー、例えば、磁気カードを媒体にして編集ブースで編集作業が行われる。編集ブースは符号１７で示され、サーバ１８を介して編集用のコンピュータ装置１９が撮影用のコンピュータ装置１１に接続されている。編集ブース１７には、上記磁気カードの読取装置１９Ａ，編集用のディスプレイ２０とそのタッチペン２１，プリンタ２２，カッタ２３等が配置され、また、符号２４はプリンタ２２から出てきた印刷媒体である。なお、符号２５はスピーカである。
【００３８】
以上に説明した撮影ブース９と編集ブース１７における動作を説明する。
【００３９】
被撮影者である被写体２が撮影ブース９内に入り、まず、所定額のコインをコインセレクタ１４に入れ、ここでコインがチェックされ金額等が正常であるかどうかが判定される。これによって、使用可能となったコンピュータ装置１１からの信号を受けてディスプレイ１２に操作手順が表示され、被写体２はこの手順にしたがってディスプレイ１２の表面をタッチペン１３でタップ（軽く叩く）等することにより、各種の操作信号がコンピュータ装置１１に送られる。この操作の途上で、被写体２は自己の画像をディスプレイ１２で確認しながら気に入った画像になったタイミングでシャッタ操作が行われる。
【００４０】
上記シャッタ操作で撮影された画像データは、コンピュータ装置１１を経てサーバ１８に格納される。このとき、各撮影画像の画像データにそれぞれ撮影画像番号等が割当てられ、各画像データは、上記撮影画像番号等と関連付けた形でサーバ１８に格納される。そして、撮影画数が所定の数量になったときには、撮影画像番号等の信号がコンピュータ装置１１からカードプリンタ１５へ送られており、被写体２は撮影画像番号等が印字等により記録されたメモリー用紙あるいは磁気カード等をカードプリンタ１５から受領する。
【００４１】
ついで、被写体２は編集ブース１７に入り、上記の磁気カードを読取装置１９Ａにセットしたりメモリー用紙を見ながら編集用のディスプレイ２０にタッチペン２１を用いて撮影画像番号等を打込んだりすることにより、上記サーバ１８に格納された画像データをコンピュータ装置１９に読み出して、ディスプレイ２０に表示する。そして、被写体２は、ディスプレイ２０に表示された撮影画像を吟味して、気に入った撮影画像を選定し、編集作業を行う。
【００４２】
この編集作業は、例えば、上記タッチペン２１を用いて行われ、タッチペン２１の先端をディスプレイ２０の表面に接触させて文字や図形等を描いて入力しうるようになっており、手書き入力された文字・図形等の画像データやスタンプ画像等を、上記の撮影画像にコンピュータ装置１９で合成する。この合成された画像をディスプレイ２０に表示させ、最終的に確認してからこの合成画像をプリンタ２２で印刷して、編集ブース１７での作業が完了する。
【００４３】
図１，図２は、撮影ブース９と編集ブース１７とが分離した形態であるが、本発明を実施しその利点を享受するに当たっては、上記両ブース９，１７を一体化して撮影と編集および印刷を同一筐体で行う形態にしても、何ら変わるところはない。
【００４４】
つぎに、本発明の要旨をなす複数の撮影光軸や複数の撮影位置に関して、説明をする。
【００４５】
図１に示した撮影手段であるカメラ６Ａ，６Ｂは、被写体の指示により位置や向きを自由に変更できるように構成されている。カメラ６Ａは、上下方向に固定された真直ぐなレール２６にスライド移動可能に取付けられている。また、撮影ブース９内に突出しているカメラ６Ｂは、上下・左右・斜め等のあらゆる方向に回動できる状態で取付けられている。これら両カメラの可動取付け構造は、一般的なレールガイド機構、ユニバーサルな首振り機構等を採用することにより、容易に実施することができる。
【００４６】
このようなカメラの移動方向や範囲は、図４に種々な形態として示されている。（Ａ）は、図１のカメラ６Ａを正面から見た図であり、２点鎖線図示の枠線２７は透明板７の枠部材を示している。（Ｂ）は、左右に移動する場合、（Ｃ）は、上下左右に、いわゆる＋型のレール２６であり、これを×型のレール２６としてもよい。（Ｄ）は、（Ａ）に示した構造をダブル型にした場合である。また、（Ｅ）は、側面から見た図であり、上下方向のレール２６が円弧型になっていて撮影光軸が円弧移動にしたがって撮影光軸の角度を変更している。
【００４７】
上述の説明は、主として複数の撮影光軸の実現手法であるが、図５には、複数の撮影光軸の選定と、被写体の撮影位置を複数箇所とした両者の複合形態が示されている。
【００４８】
図５の（Ａ）は、カメラ６Ａが左右に移動できるように支持され、被写体２は実線図示の位置に立ったり、２点鎖線図示の位置に立ったりする。このように撮影位置を色々と選べるようにするために、撮影ブース９の床面の広さや床面形状が選定されている。例えば、（Ａ）においては、少なくともカメラ６Ａの移動範囲に対応できる床面３Ｂの広さが設定してある。そして、被写体２が移動し、かつカメラ６Ａが移動することにより、カメラ６Ａと被写体２の相対位置関係を多様に選ぶことができ、また、カメラ６Ａとカーテン４側の側壁５Ｃや側壁５Ａとの相対位置関係も多様に選ぶことができて、できあがった写真のバリエーションが一層豊かなものとなる。
【００４９】
同図（Ｂ）は、円弧型のレール２６にカメラ６Ａをスライド移動可能に取付けたもので、（Ａ）の場合と同様に多様化された撮影画像が得られる。さらに、ここでは、複数のバックスクリーン２８Ａ，２８Ｂを側壁５Ａ，５Ｂに沿わせて配置し、実線図示の被写体２や２点鎖線図示の被写体２のいずれの場合であっても、カメラ６Ａの位置を変えることによって、両バックスクリーン２８Ａ，２８Ｂの両方を任意に選ぶことができる。したがって、被写体２の好みに合わせた背景の色彩や画像が選択できる。
【００５０】
上述の実施の形態による作用効果を説明する。
【００５１】
すなわち、複数の撮影光軸を採用することにより、いわゆるカメラアングルが多様化され、被写体２を種々な方向から撮影できて、被写体２と背景色等との相対位置関係が豊富なものとなる。よって、プリントされた写真は、被写体２と背景色等との調和が最適な状態になり、しかも、被写体２と撮影光軸（カメラアングル）がその人の好みに合った態様になり、使用者の満足度をより高めた写真が提供できる。
【００５２】
さらに、被写体２が撮影ブース９内を適当に移動できるように、撮影ブース９内の床の広さや床面形状を設定しておくことにより、被写体２は自己の撮影位置を複数箇所にわたって適宜選び、背景色等やスクリーン等との関係を好みに合わせてより一層豊富にすることができ、上記のような満足度を著しく高めることができる。このように、撮影位置が複数箇所になし得ることは、背景色等やスクリーンとの組合せ関係を多様化させるのに、非常に有効である。
【００５３】
図４（Ｅ），図５（Ｂ）（Ｃ），図６（Ａ）（Ｂ）等に示されている実施の形態は、撮影光軸の角度を変更する場合である。それ以外は、上記実施の形態と同様であり、同様の部分には同じ符号を付している。
【００５４】
上記の撮影光軸の角度変更は、カメラ６Ｂをユニバーサルに揺動させたり、円弧型のレール２６に沿って移動させたりすることにより、容易に実現する。それ以外は、上記実施の形態と同様の作用効果を奏する。
【００５５】
図１，図５（Ｂ）（Ｃ），図６等に示されている実施の形態は、カメラ６Ａ，６Ｂが撮影ブース９内に突出するように設けられている場合である。それ以外は、上記各実施の形態と同様であり、同様の部分には同じ符号を付している。
【００５６】
カメラ６Ａが突出していることにより撮影光軸の向きを潤沢に確保できる。もし、透明ガラスの背後にカメラが配置されているような場合であれば、透明ガラスの周縁部材が撮影光軸を妨げることになり、上記のような利点が得られなくなる。また、上記の突出により撮影光軸の変化を確保するための機構的なスペースが十分に求められる。それ以外は、上記各実施の形態と同様の作用効果を奏する。
【００５７】
図１，図５，図６に示された実施の形態は、撮影ブース９内の複数箇所の壁面５Ａ，５Ｂ，５Ｃをバックとして撮影を行いうる場合である。それ以外は、上記各実施の形態と同様であり、同様の部分には同じ符号を付している。
【００５８】
壁面５Ａ，５Ｂ，５Ｃを形成するブース素材の質感やその素材が有している色柄等を、上記の複数の撮影光軸や撮影位置によって最適な状態で活用できる。このようにして、できあがった写真は被写体２と背景色等が最適の調和となる。それ以外は、上記各実施の形態と同様の作用効果を奏する。
【００５９】
図５（Ｂ）に示されている実施の形態は、撮影ブース９内に複数のバックスクリーン２８Ａ，２８Ｂを存在させている場合である。ここでは２枚のバックスクリーン２８Ａ，２８Ｂが側壁５Ａ，５Ｂに沿った状態で設けられている。それ以外は、上記各実施の形態と同様であり、同様の部分には同じ符号を付している。
【００６０】
上記の複数のバックスクリーン２８Ａ，２８Ｂを複数の撮影光軸や撮影位置によって最適な状態で活用できる。特に、バックスクリーンが複数枚とされているので、スクリーンの色彩を多様化することができる。このようにして、できあがった写真は被写体と背景色等が最適の調和となる。それ以外は、上記各実施の形態と同様の作用効果を奏する。
【００６１】
図５（Ａ）（Ｂ）に示されている実施の形態は、撮影ブース９の出入り口がバックスクリーンとなりうるカーテン４により外部と仕切られている場合である。すなわち、出入り口を構成するカーテン４の内面を、バックスクリーンの機能を果たすようなスクリーン色彩としてある。それ以外は、上記各実施の形態と同様であり、同様の部分には同じ符号を付している。
【００６２】
本来バックスクリーンとしての機能が期待されていなかったブースの構成部材が、バックスクリーンの役割を果たしているのである。合わせて、カーテン４の内面の色合いと側壁５Ｃを構成する素材の色合いとを、同じかまたは近似したものにしておくことにより、実質的にカーテンが存在しないような形態でバックスクリーンを形成することができ、複数の被写体２が撮影ブース９内に入っても十分大きなバックスクリーンを使用することができる。それ以外は、上記各実施の形態と同様の作用効果を奏する。
【００６３】
図５（Ａ），（Ｂ）に示されている実施の形態は、上記バックスクリーン２８Ａ，２８Ｂ、あるいはカーテン４と側壁５Ｃとの調和された色調の表面が、背景合成用のスクリーンとされている場合である。上記の背景合成は、上記ディスプレイ２０を操作してバックスクリーンの色彩等に代わる背景色等が選択されるもので、コンピュータ装置１９において背景色等との合成がなされる。例えば、背景色等記憶手段から読み出された背景色等と合成するのである。
【００６４】
被写体画像とバックスクリーンの表面状態とを明確に識別した上で、例えば、背景色等記憶手段から読み出された背景色等と合成するのに好適である。特に、上記のカーテン４がバックスクリーンの１部を形成しているという構成のもとでは、カーテン４の存在に影響されることなく、本来のバックスクリーンの機能を十分に発揮させることができる。
【００６５】
図５（Ｃ）に示されている実施の形態は、撮影ブース９の天井面近傍にミラー２９が取付けられ、上記ミラー２９に反射する被写体を撮影するものである。それ以外は、上記各実施の形態と同様であり、同様の部分には同じ符号を付している。
【００６６】
被写体２の反射像をミラー２９を介してカメラ６Ｂで撮影するので、カメラ６Ａを撮影ブース９の上方に配置する必要がなく、構造簡素化と原価低減にとって有効である。また、被写体２は空を見上げたようなポーズを取ることができるので、写真のバリエーションが幅広くなる。それ以外は、上記各実施の形態と同様の作用効果を奏する。
【００６７】
つぎの実施の形態は、上記ミラー２９がハーフミラーとされた場合である。それ以外は、上記各実施の形態と同様であり、同様の部分には同じ符号を付している。
【００６８】
被写体２の反射光の強度が低減された状態で撮影されるので、できあがった被写体画像は、明るさが押えられたトーンのものとなり、独特な味合いがかもし出せる。それ以外は、上記各実施の形態と同様の作用効果を奏する。
【００６９】
さらに、つぎの実施の形態は、上記ミラー２９が湾曲ミラーとされた場合である。それ以外は、上記各実施の形態と同様であり、同様の部分には同じ符号を付している。
【００７０】
被写体２が湾曲ミラーの湾曲形状や湾曲度合いに応じて変形した被写体画像となるので、コミカルな写真が湾曲ミラーの特質を生かして入手することができる。それ以外は、上記各実施の形態と同様の作用効果を奏する。
【００７１】
さらにつぎの実施の形態は、上記ミラー２９が凸面鏡とされて場合である。それ以外は、上記各実施の形態と同様であり、同様の部分には同じ符号を付している。
【００７２】
上記凸面鏡独特の特定箇所を拡大した被写体画像となるので、被写体自体の個性を強調した写真が得られる。それ以外は、上記各実施の形態と同様の作用効果を奏する。
【００７３】
上記の写真撮影装置および方法を実施する際には、すぐれた閃光照明装置との組合わせが重要である。
【００７４】
図６から図９に示された閃光照明装置について説明する。閃光照明装置全体は符号３０で示され、図８に示されたような照明ボックス３１とその内部に配置されるストロボ３２から構成されている。上記照明ボックス３１は、平たくて四角い不透明のカバー板３３と、その周辺に結合された透光板３４と、カバー板３３の内面に固定されたストロボ３２等によって構成されている。この透光板３４は、カバー板３３の４辺または必要な辺に結合され、ストロボ３２からの閃光が撮影ブース９を形成する内面に向かって照射され易くするために、傾斜した状態で配置されている。したがって、カバー板３３の４辺に透光板３４が結合されている場合には、ちょうど角錐台形を呈している。そして、透光板３４は、例えば、透明または半透明の合成樹脂製の板で作られている。
【００７５】
上記照明ボックス３１とストロボ３２は、側壁５Ａに直交している他の側壁５Ｄ側に、ここではカバー板３３の内面に固定され、ストロボ３２の照射方向は側壁５Ａに向けられている。そして、側壁５Ａ，５Ｂ，５Ｃ，５Ｄ，カバー板３３，天井部３Ａの内面，床面３Ｂ等は、閃光を反射し易い白色あるいはアイボリーホワイトのように明るい表面色とされている。このように隣接した直交壁面に閃光を照射する構造が撮影ブース９内の複数箇所に配置されていることにより、図６に示されたような多数の反射光が被写体２に照射され、被写体２には影のない、あるいは影があっても気にならないような閃光照明が施される。
【００７６】
図６に示された撮影手段であるカメラ６Ｂは、撮影ブース９内に突出した状態で配置されており、このカメラ自体は被写体２の撮影位置の移動に追従するために、前述のユニバーサル機構で支持されている。なお、ここでは図示していないが、照明ボックス３１を天井に取付けてもよく、また、床面３Ｂにストロボ３２を埋設してもよい。
【００７７】
図９は、ストロボ３２が露出した状態で配置されている場合である。このような構成は、上記カバー板３３の反射効果は得られないが、構造を簡素化し減価低減を図る点で有利である。
【００７８】
図６から図９に示された実施の形態は、上記撮影ブース９を形成する内面に向かって閃光を照射する閃光照明装置３０を備え、上記閃光照明装置３０の壁面での反射光により被写体２を照明して撮影するように構成されている場合である。それ以外は、上記各実施の形態と同様であり、同様の部分には同じ符号を付している。
【００７９】
上記反射光が撮影ブース９内に無数の方向性をもって被写体２に照射されるので、被写体２には影にともなう陰影がほとんどなくなり、はつらつとした明るさに満ちた写真が得られる。そして、このような写真が、上述のように複数の撮影光軸や複数の撮影箇所の利点と複合することにより、より新鮮味の高い写真が完成する。それ以外は、上記各実施の形態と同様の作用効果を奏する。
【００８０】
さらに、図６から図９に示された実施の形態は、撮影ブース９内の撮影領域における光量が実質的に均一になるよう設定されている場合である。このような光量の調整は、閃光照明装置３０の閃光強度や大きさ、あるいは配置位置を適宜選定することにより行われる。それ以外は、上記各実施の形態と同様であり、同様の部分には同じ符号を付している。
【００８１】
撮影ブース９内において、撮影する箇所のどこであっても閃光照明の光量が実質的に均一化されるので、上述のような良好な写真が入手できる。特に、撮影ブース９内の撮影領域における光量の適正化であるから、いわゆる必要な箇所の光量制御を行えばよく、したがって、閃光照明装置３０の配置個数や照明光度を合理的に選定し、照明手段の簡素化や原価低減にとって有効である。それ以外は、上記各実施の形態と同様の作用効果を奏する。
【００８２】
図１０には、他の実施の形態が示されており、上記両ブース９，１７を一体化して撮影と編集および印刷を同一筐体で行う場合である。すなわち、図１に示されている筐体１の中にプリンタ２２やカッタ２３を配置し、他方、カードプリンタ１５が取除かれている。
【００８３】
本発明の写真撮影装置および方法は、図１０から理解できるように、写真自販機における各種の機能手段と組合されることにより、写真自販機としての商品価値をより一層向上させることができる。
【００８４】
すなわち、図１のディスプレイ２０に相当する「撮影画像を表示する手段」が上述の写真撮影装置および方法に備えられている場合である。上述の写真撮影装置および方法によって得られる各種の作用効果が、上記「撮影画像を表示する手段」に相乗されてすぐれた商品機能の写真自販機が実現する。
【００８５】
さらに、図示されていないが、カメラのシャッタを操作するボタンスイッチ，タッチペン式の操作手段、あるいはズーム調節手段等に相当する「撮影装置を操作する入力手段」が上述の写真撮影装置および方法に備えられている場合である。上述の写真撮影装置および方法によって得られる各種の作用効果が、上記「撮影装置を操作する入力手段」に相乗されてすぐれた商品機能の写真自販機が実現する。
【００８６】
さらに、図１のスピーカ１６，２５に相当する「音声を出力する手段」が上述の写真撮影装置および方法に備えられている場合である。上述の写真撮影装置および方法によって得られる各種の作用効果が、上記「音声を出力する手段」に相乗されてすぐれた商品機能の写真自販機が実現する。
【００８７】
さらに、図１のコインセレクタ１４に相当する「対価を受領する手段」が上述の写真撮影装置および方法に備えられている場合である。上述の写真撮影装置および方法によって得られる各種の作用効果が、上記「対価を受領する手段」に相乗されてすぐれた商品機能の写真自販機が実現する。
【００８８】
さらに、図１のプリンタ２２に相当する「撮影画像をプリントアウトする手段」が上述の写真撮影装置および方法に備えられている場合である。上述の写真撮影装置および方法によって得られる各種の作用効果が、上記「撮影画像をプリントアウトする手段」に相乗されてすぐれた商品機能の写真自販機が実現する。
【００８９】
さらに、図１のディスプレイ２０やタッチペン２１に相当する「撮影画像を編集する手段」が上述の写真撮影装置および方法に備えられている場合である。上述の写真撮影装置および方法によって得られる各種の作用効果が、上記「撮影画像を編集する手段」に相乗されてすぐれた商品機能の写真自販機が実現する。
【００９０】
さらに、図１のディスプレイ２０やタッチペン２１に相当する「第２画像を入力する手段および受け付ける手段」が上述の写真撮影装置および方法に備えられている場合である。これは、撮影画像と上記第２画像を合成する手段が包含されているもので、上述の写真撮影装置および方法によって得られる各種の作用効果が、上記「第２画像を入力する手段および受け付ける手段」に相乗されてすぐれた商品機能の写真自販機が実現する。
【００９１】
以上に掲げた各種の「手段」は、当然のことながら、図１のコンピュータ装置１１や１９と有機的に連携している。
【００９２】
【発明の効果】
以上のように、本発明の写真撮影装置によれば、撮影ブース内において複数の撮影光軸で撮影しうるように構成された撮影手段を備え、合わせて、被写体の撮影位置を撮影ブース内における複数箇所において撮影を行いうるように構成されている。このように複数の撮影光軸を採用することにより、いわゆるカメラアングルが多様化され、被写体を種々な方向から撮影できて、被写体と背景色等との相対位置関係が豊富なものとなる。よって、プリントされた写真は、被写体と背景色等との調和が最適な状態になり、しかも、被写体と撮影光軸（カメラアングル）がその人の好みに合った態様になり、使用者の満足度をより高めた写真が提供できる。
【００９３】
さらに、被写体が撮影ブース内を適当に移動できるように、撮影ブース内の床の広さや床面形状を設定しておくことにより、被写体は自己の撮影位置を複数箇所にわたって適宜選び、背景色等やスクリーン等との関係を好みに合わせてより一層豊富にすることができ、上記のような満足度を著しく高めることができる。このように、撮影位置が複数箇所になし得ることは、背景色等やスクリーンとの組合せ関係を多様化させるのに、非常に有効である。しかも、撮影ブース内の複数箇所の壁面をバックとして撮影を行いうるようになっているため、壁面を形成するブース素材の質感やその素材が有している色柄等を、上記の複数の撮影光軸や撮影位置によって最適な状態で活用できる。このようにして、できあがった写真は被写体と背景色等が最適の調和となる。
【００９４】
また、写真撮影方法としても、上記装置の場合と同様な効果が得られる。
【図面の簡単な説明】
【図１】本発明の一実施の形態の写真撮影装置を示す側面図である。
【図２】上記写真撮影装置のブロック図である。
【図３】図１におけるカメラの取付け状態を示す部分的な正面図である。
【図４】カメラをスライド支持しているレールの各種態様を示す正面図である。
【図５】撮影ブースを全体的に示す平面図と斜視図である
【図６】閃光照明装置が配置された撮影ブース全体の平面図である。
【図７】閃光照明装置の取付け状態を拡大して示した横断平面図である。
【図８】照明ボックスの斜視図である。
【図９】他の閃光照明装置の取付け状態を拡大して示した横断平面図である。
【図１０】他の実施の形態を示す側面図である。
【図１１】従来の写真撮影装置を示す側面図である。
【符号の説明】
１          筐体
２          被写体，被撮影者
３Ａ        天井部
３Ｂ        床面
４          カーテン
４Ａ        出入口
５Ａ，５Ｂ，５Ｃ，５Ｄ    側壁
６Ａ，６Ｂ  カメラ
７          透明板
８          ストロボ
９          撮影ブース
１０        枠材
１１        コンピュータ装置
１２        ディスプレイ
１３        タッチペン
１４        コインセレクタ
１５        カードプリンタ
１６        スピーカ
１７        編集ブース
１８        サーバ
１９        コンピュータ装置
１９Ａ      読取装置
２０        ディスプレイ
２１        タッチペン
２２        プリンタ
２３        カッタ
２４        印刷媒体
２５        スピーカ
２６        レール
２７        枠線
２８Ａ，２８Ｂ，２８Ｃ，２８Ｄ  バックスクリーン
２８Ｅ      動作ローラ
２９        ミラー
３０        閃光照明装置
３１        照明ボックス
３２        ストロボ
３３        カバー板
３４        透光板
５１        コントローラ
５２        本体
５３        ハーフミラー
５４        使用者
５５        カメラ
５６        モニタ
５７        プリンタ
５８        写真プリント
【図１】
0004053768.tif 000002
【図２】
0004053768.tif 000003
【図３】
0004053768.tif 000004
【図４】
0004053768.tif 000005
【図５】
0004053768.tif 000006
【図６】
0004053768.tif 000007
【図７】
0004053768.tif 000008
【図８】
0004053768.tif 000009
【図９】
0004053768.tif 000010
【図１０】
0004053768.tif 000011
【図１１】
0004053768.tif 000012